(57)【要約】【課題】電池ケース内における電極体のガタつきを抑えつつ電極の使用量を減らす、または、電極体を形成するための材料の量を抑制すること。【解決手段】正極金属板２４Ａには、正極活物質２４Ｂが塗布されていない領域ＮＳと、正極活物質２４Ｂが塗布されており、かつ領域ＮＳより上下方向の長さが短い領域ＴＳと、が存在する。負極金属板２６Ａには、負極活物質２６Ｂが塗布されていない領域ＮＦと、負極活物質２６Ｂが塗布されており、かつ領域ＮＦより上下方向の長さが短い領域ＴＦと、が存在する。電極体２３は、領域ＴＳと領域ＴＦとが対向して巻回され、領域ＮＳと領域ＮＦとが対向して巻回される。【選択図】図５
2015008094.tif 000002
【特許請求の範囲】
【請求項１】
内部に収容空間を有するケースと、
前記ケースの収容空間に配置され、活物質を含む合材と基材とを備える複数の電極板、およびセパレータを有する電極体とを備え、
前記複数の電極板の少なくとも１つ、または前記セパレータは、前記電極体または前記セパレータの長手方向に垂直方向である幅が互いに異なる幅広部分および幅狭部分を有する電池。
【請求項２】
前記複数の電極板のいずれも、前記幅が互いに異なる前記幅広部分および前記幅狭部分を有する、請求項１に記載の電池。
【請求項３】
前記複数の電極板は、正極板および負極板から構成され、
前記電極体は、前記正極板、前記負極板および前記セパレータが、前記長手方向に沿った軸を中心に巻回された構成であり、
前記電極体のうち、前記軸寄りの位置で巻回されている中央部分が前記幅広部分であり、
前記電極体のうち、前記中央部分の周囲に巻回された周囲部分が前記幅狭部分である、請求項１または請求項２に記載の電池。
【請求項４】
前記セパレータが、前記幅広部分および前記幅狭部分を有し、
前記長手方向において、前記複数の電極板の前記幅狭部分の前記幅と、前記セパレータの前記幅狭部分の前記幅との少なくとも一部が同じ長さである請求項２または請求項３に記載の電池。
【請求項５】
前記幅狭部分に前記活物質が塗布され、前記幅広部分には前記活物質が塗布されていない、請求項１から請求項４のいずれか一項に記載の電池。
【請求項６】
前記複数の電極板のうち、一の前記電極板が、水酸化ニッケルを前記活物質とし、
前記複数の電極板のうち、他の前記電極板が、水素吸蔵合金を前記活物質とする、請求項１から請求項５のいずれか一項に記載の電池。
【発明の詳細な説明】
【技術分野】
【０００１】
電池の内部構造の技術に関する。
【背景技術】
【０００２】
近年、コストが安い電池のニーズが増加している。そこで、例えば、電池ケースの内部に、正極板と、負極板と、電解液を含浸したセパレータとからなる電極群を備える電池において、電極群を電池ケースの軸方向に短くして、電池ケースの余った空間に充填材を封入した電池が開発されている。これにより、電池の軸方向の全長に亘って電極群を形成する場合と比較して電極の使用量が少なくなり、電池のコストが低減されているとともに、充填材により、電池ケース内における電極群のガタつきが抑制されている（特許文献１）。
【先行技術文献】
【特許文献】
【０００３】
【特許文献１】ドイツ特許出願ＤＥ  ２００  １６  ２３１  Ｕ１
【発明の概要】
【発明が解決しようとする課題】
【０００４】
ところで、上記従来技術では、電極群を電池ケースの軸方向に短くし、電池ケース内の余った空間に充填材を封入しているが、上記従来技術とは異なる構成により、電極の使用量を減らしたり、電極体を形成するための材料の量を抑制したりすることが求められている。
【０００５】
本明細書では、電池ケース等のケース内における電極群のガタつきを抑えつつ、ケースの収容空間に対する電極の使用量を減らす、または、電極体を形成するための材料の量を抑制することが可能な技術を開示する。
【課題を解決するための手段】
【０００６】
本明細書によって開示される電池は、内部に収容空間を有するケースと、前記ケースの収容空間に配置され、活物質を含む合材と基材とを備える複数の電極板、およびセパレータを有する電極体とを備え、前記複数の電極板の少なくとも１つ、または前記セパレータは、前記電極体または前記セパレータの長手方向に垂直方向である幅が互いに異なる幅広部分および幅狭部分を有する。
【発明の効果】
【０００７】
上記電池では、電池ケース等のケース内における電極体のガタつきを抑えつつ、ケースの収容空間に対する電極の使用量を減らす、または、電極体を形成するための材料の量を抑制することが可能となる。
【図面の簡単な説明】
【０００８】
【図１】一実施形態の電池の縦断面を表した斜視図
【図２】電池を示す縦断面図
【図３】電池の分解斜視図
【図４】活物質が塗布された金属板の平面図
【図５】活物質が塗布された金属板の斜視図
【図６】他の実施形態で活物質が塗布された金属板の平面図
【発明を実施するための形態】
【０００９】
（実施形態の概要）
本明細書によって開示される電池は、内部に収容空間を有するケースと、前記ケースの収容空間に配置され、活物質を含む合材と基材とを備える複数の電極板、およびセパレータを有する電極体とを備え、前記複数の電極板の少なくとも１つ、または前記セパレータは、前記電極体または前記セパレータの長手方向に垂直方向である幅が互いに異なる幅広部分および幅狭部分を有する。
【００１０】
この電池によれば、電極板およびセパレータの両方の幅が均一である構成に比べて、ケース内における電極体のガタつきを抑えつつ、ケースの収容空間に対する電極の使用量を減らすこと、または、電極体を形成するための材料の量を抑制することができる。そして、材料の量を抑制することによって、電池を軽量化することができる。
【００１１】
上記電池は、前記複数の電極板のいずれも、前記幅が互いに異なる前記幅広部分および前記幅狭部分を有していてもよい。
【００１２】
この電池によれば、複数の電極板のいずれか一方のみ、幅が互いに異なる幅広部分および幅狭部分を有する構成に比べて、セパレータに電解液を保持させつつ、電極の使用量を減らすことができ、さらに、当接する箇所により強度をもたせることができる。
【００１３】
上記電池は、前記複数の電極板は、正極板および負極板から構成され、前記電極体は、前記正極板、前記負極板および前記セパレータが、前記長手方向に沿った軸を中心に巻回された構成であり、前記電極体のうち、前記軸寄りの位置で巻回されている中央部分が前記幅広部分であり、前記電極体のうち、前記中央部分の周囲に巻回された周囲部分が前記幅狭部分であってもよい。
【００１４】
この電池によれば、中央部分が幅狭部分であり、周囲部分が幅広部分である構成に比べて、金属板の使用量を抑制することができる。
【００１５】
上記電池は、前記セパレータが、前記幅広部分および前記幅狭部分を有し、前記長手方向において、前記複数の電極板の前記幅狭部分の前記幅と、前記セパレータの前記幅狭部分の前記幅との少なくとも一部が同じ長さであってもよい。
【００１６】
この電池によれば、幅狭部分において、電極板およびセパレータを対向した状態に位置調整することができ、電極板をより容易に製造することができる。
【００１７】
上記電池は、前記幅狭部分に前記活物質が塗布され、前記幅広部分には前記活物質が塗布されていない構成でもよい。
【００１８】
この電池によれば、幅狭部分および幅広部分の両方に活物質が塗布された構成に比べて、電極の使用量をさらに減らすことができる。
【００１９】
上記電池では、前記複数の電極板のうち、一の前記電極板が、水酸化ニッケルを前記活物質とし、前記複数の電極板のうち、他の前記電極板が、水素吸蔵合金を前記活物質とするようにしてもよい。
【００２０】
＜一実施形態＞
一実施形態の電池１０について、図１〜図５を参照しつつ説明する。電池１０は、ニッケル・水素蓄電池等のアルカリ蓄電池である。電池１０は、例えば単３形（ＩＥＣ（Ｉｎｔｅｒｎａｔｉｏｎａｌ Ｅｌｅｃｔｒｏｔｅｃｈｎｉｃａｌ Ｃｏｍｍｉｓｓｉｏｎ）では、「Ｒ６」、米国では、「ＡＡ」）の容量が１８００ｍＡｈ以下、又は単４形（ＩＥＣでは、「Ｒ０３」，米国では、「ＡＡＡ」）の容量が６５０ｍＡｈ以下の低容量タイプである。以下の説明では、図１の紙面手前側を電池１０の前側（前）とし、紙面右側を電池１０の右側（右）とし、紙面上側を電池１０の上側（上）とする。
【００２１】
電池１０は、図１に示すように、電池ケース１１と、電極体２３とから構成されている。電池ケース１１は、金属製で、一方向に長い形状である。この電池ケース１１は、ケースの一例であり、電池ケース本体１２と、蓋部１５とから構成され、内部に収容空間Ｓを有する。なお、一方向は、図１では上下方向であり、電池ケース１１の長手方向であり、蓋部１５と後述する閉塞部１４との対向する方向である。
【００２２】
電池ケース本体１２は、表面がニッケルめっきされており、後述する負極板２６を電気的に接続させることで電池１０の負極端子となる。電池ケース本体１２は、上下方向における一端が開口し、他端が閉塞した形状を有し、具体的には、筒状部１３と閉塞部１４とを備える。
【００２３】
筒状部１３は、上下方向に長い円筒状の形状であって、上下方向から見た内周面の形状は、上下方向に沿った中心軸Ｗを通る内径Ｒが一定である真円形状となっている。筒状部１３内は、後述する電極体２３を収容可能な収容空間Ｓである。
【００２４】
筒状部１３の一方向における一端、図１では上端には、筒状部１３の内部に連通する開口部１２Ａが形成されている。筒状部１３の一方向における他端、図１では上端は、閉塞部１４により閉塞されている。閉塞部１４は、円形状の板材状をなし、筒状部１３と一体に形成されている。
【００２５】
蓋部１５は、後述する正極板２４に弾性を有する接続端子２１を介して電気的に接続されており、電池１０の正極端子となる。蓋部１５は、蓋本体１６、弾性体１８、及び、端子板１９を備える。蓋本体１６は、円形状の平板であり、例えばニッケルめっきを施した鉄材等の導電性を有する物質からなり、正極板２４に接続端子２１を介して電気的に接続されている。蓋本体１６の中央部には貫通孔１７が形成されている。
【００２６】
弾性体１８は、貫通孔１７を塞ぐように蓋本体１６の上面、即ち、閉塞部１４に対向する面とは反対の面上に配置されている。弾性体１８は、例えばゴム等の材質からなり、外力に応じて弾性変形する。端子板１９は、弾性体１８を覆う導電性の板である。
【００２７】
具体的には、端子板１９は、弾性体１８を、下方、即ち蓋本体１６に押し付けた状態で蓋本体１６と電気的に接続されている。端子板１９には、電池ケース１１内のガスを放出するための排出孔２０が設けられている。例えば電池ケース１１の内圧が上昇し、弾性体１８が貫通孔１７から所定値以上の圧力を受けると、弾性体１８が弾性変形して電池ケース１１内と排出孔２０とが連通し、電池ケース１１内のガスが排出孔２０から電池１０の外部に排出される。
【００２８】
電池ケース本体１２の開口部１２Ａと蓋部１５との間には、弾性変形可能な絶縁体２２が挟まれてシールされている。この絶縁体２２により、電池ケース本体１２と蓋部１５とが絶縁されている。
【００２９】
電極体２３は、電池ケース１１の収容空間Ｓに収容されている。電極体２３は、正極板２４、負極板２６、及びそれらの間に配置される電解液を含んだセパレータ２５が、上下方向に沿った巻き軸を中心に渦巻状に巻回されている。なお、巻き軸は、上述した中心軸Ｗに一致していても一致していなくてもよい。ただし、以下、説明の都合上、巻き軸は、中心軸Ｗに一致するものとする。
【００３０】
正極板２４（一の電極板の一例）は、正極金属板２４Ａ（基材の一例）に正極活物質２４Ｂ（活物質の一例）を塗布したものである。正極金属板２４Ａは、例えば発泡ニッケルである。正極活物質２４Ｂは、正極水酸化ニッケル活物質及び導電材のコバルト化合物の混合物である。正極板２４は、正極金属板２４Ａの中空内に、正極活物質２４Ｂを塗布したものである。
【００３１】
なお、電池１０がニッケル・カドミウム蓄電池の場合、正極活物質２４Ｂは、例えば水酸化ニッケルであり、電池１０がニッケル・水素蓄電池の場合、水酸化ニッケル活物質は、例えば水酸化カルシウムを添加した水酸化ニッケルである。
【００３２】
負極板２６（他の電極板の一例）は、負極金属板２６Ａ（基材の一例）に負極活物質２６Ｂ（他方の極性の活物質の一例）を塗布したものである。負極金属板２６Ａは、例えばニッケルめっきを施した平板状の穿孔鋼板である。負極活物質２６Ｂは、例えばカドミウム粉末や水素吸蔵合金の粉末（一方の極性の活物質の一例）である。負極板２６は、負極金属板２６Ａ上に、負極活物質２６Ｂを塗布したものである。
【００３３】
なお、ニッケル・カドミウム蓄電池の場合、負極活物質２６Ｂは、例えば酸化カドミウム粉末と金属カドミウム粉末との混合物であり、ニッケル・水素蓄電池の場合、負極活物質は、例えば、主にＡＢ５型（希土類−Ｎｉ系）、ＡＢ３．０−３．８型（希土類−Ｍｇ−Ｎｉ系）又はＡＢ２型（Ｌａｖｅｓ相）の水素吸蔵合金の粉末である。
【００３４】
また、図３に示すように、電極体２３の内、前後左右方向において中心軸Ｗ寄りの位置で巻回されている中央部分ＣＴは、中央部分ＣＴの周囲に巻回された周囲部分ＡＲに比べて、電極体２３の上下方向における長さが長い。そして、当該中央部分ＣＴは、正極活物質２４Ｂも負極活物質２６Ｂも塗布されていない。
【００３５】
一方、周囲部分ＡＲは、正極活物質２４Ｂや負極活物質２６Ｂが塗布されている。なお、負極活物質２６Ｂが塗布されている領域を領域ＴＦという。図５で詳述するように、領域ＴＦに対向して、正極活物質２４Ｂが塗布された領域ＴＳが存在する。
【００３６】
なお、上述した筒状部１３の内径Ｒは、電極体２３の外径Ｌ（図２の左右方向の中央部分ＣＴと周囲部分ＡＲとを合わせた外径寸法）と略等しい。これにより、電極体２３は、筒状部１３の内側面Ｋ（内壁の一例）と当接している。筒状部１３の内側面Ｋとは、電池ケース１１の内面のうち上下方向に沿った面である。また、電極体２３の内、中央部分ＣＴの上下方向の下部は、閉塞部１４の内面（内壁の一例）に当接している。
【００３７】
図４は、電極体２３を巻き解いた展開図である。なお、図４の上下方向は、図３の上下方向と同じであり、図４の左右方向は、図３の左右方向と同じである。つまり、図４は、電極体２３を図３の左右方向へ巻き解いて展開した図である。なお、図４において、電極体２３の左右方向、即ち電極体２３の巻回方向は、電極体２３またはセパレータ２５の長手方向の一例である。そして、電極体２３の上下方向、即ち電極体２３の巻回方向に垂直な方向は、電極体２３またはセパレータ２５の幅の一例である。
【００３８】
図４に示す通り、正極金属板２４Ａの左右方向、即ち正極金属板２４Ａの巻回方向における左側には、右側に比べて上下方向の幅が広い領域ＮＳ（幅広部分の一例）が存在する。領域ＮＳは、正極活物質２４Ｂが塗布されておらず、正極金属板２４Ａの左右方向で長さＤ１に亘って存在する。
【００３９】
正極金属板２４Ａの左右方向における右側には、左側の領域ＮＳに比べて上下方向の幅が狭い領域ＴＳ（幅狭部分の一例）が存在する。領域ＴＳは、正極活物質２４Ｂが塗布されて合材となっており、正極金属板２４Ａの左右方向で長さＤ２に亘って存在する。なお、長さＤ２は長さＤ１に比べて長い。また、領域ＴＳは、領域ＮＳに比べて、正極金属板２４Ａの上下方向の上端から長さＰ１だけ短く、正極金属板２４Ａの上下方向の下端から長さＰ２だけ短い。長さＰ１と長さＰ２とは同じ長さである。
【００４０】
図４に示す通り、負極金属板２６Ａの左右方向、即ち負極金属板２６Ａの巻回方向における左側には、右側に比べて上下方向の幅が広い領域ＮＦ（幅広部分の一例）が存在する。領域ＮＦは、負極活物質２６Ｂが塗布されておらず、負極金属板２６Ａの左右方向の長さＦ１に亘って存在する。
【００４１】
負極金属板２６Ａの左右方向における右側には、左側の領域ＮＦに比べて上下方向の幅が狭い領域ＴＦ（幅狭部分の一例）が存在する。領域ＴＦは、負極活物質２６Ｂが塗布されて合材となっており、負極金属板２６Ａの左右方向の長さＦ２に亘って存在する。なお、長さＦ２は長さＦ１に比べて長い。また、領域ＴＦは、領域ＮＦに比べて、負極金属板２６Ａの上下方向の上端から長さＲ１だけ短く、負極金属板２６Ａの上下方向の下端から長さＲ２だけ短い。長さＲ１と長さＲ２とは同じ長さである。
【００４２】
図５に示す通り、電極体２３が製造される場合、正極金属板２４Ａの内、正極活物質２４Ｂが塗布されている領域ＴＳと、負極金属板２６Ａの内、負極活物質２６Ｂが塗布されている領域ＴＦとを対向させて巻回される。つまり、正極金属板２４Ａと負極金属板２６Ａとでは、上述した長さＤ１と長さＦ１、長さＤ２と長さＦ２、長さＰ１と長さＲ１、および長さＰ２と長さＲ２とは、それぞれ長さが等しい。
【００４３】
そして、正極活物質２４Ｂが塗布されている領域ＴＳは、負極活物質２６Ｂが塗布されている領域ＴＦと対向しているため、当該領域ＴＳと領域ＴＦとの間では電気化学反応により電流が発生する。
【００４４】
正極活物質２４Ｂが塗布されていない領域ＮＳは、導電性を有する正極金属板２４Ａであるため、領域ＴＳで発生した電流は、正極金属板２４Ａを通して流れる。同様に、負極活物質２６Ｂが塗布されていない領域ＮＦは、導電性を有する負極金属板２６Ａであるため、領域ＴＦで発生した電流は、負極金属板２６Ａを通して流れる。
【００４５】
したがって、活物質が金属板の全体に塗布されている構成に比べて、電極の使用量を抑制することができる。
【００４６】
セパレータ２５は、例えばポリオレフィン製の不織布からなる。セパレータ２５には、水酸化カリウムあるいは水酸化ナトリウムを主成分とする電解液が含浸されている。セパレータ２５は、電極体２３の内、筒状部１３の内側面Ｋと対向する面には配されておらず、当該筒状部１３の内側面Ｋと対向する面には、負極板２６が配されている。
【００４７】
なお、図４に示すように、セパレータ２５の左右方向の左側には、右側に比べて上下方向の幅が広い領域ＳＨ１（幅広部分の一例）が存在する。領域ＳＨ１は、セパレータ２５の左右方向の長さＥ１に亘って存在する。
【００４８】
セパレータ２５の左右方向における右側には、左側の領域ＳＨ１に比べて上下方向の幅が狭い領域ＳＨ２（幅狭部分の一例）が存在する。領域ＳＨ２は、セパレータ２５の左右方向の長さＥ２に亘って存在する。なお、長さＥ２は長さＥ１に比べて長い。また、領域ＳＨ２は、領域ＳＨ１に比べて、セパレータ２５の上下方向の上端から長さＱ１だけ短く、セパレータ２５の上下方向の下端から長さＱ２だけ短い。長さＱ１と長さＱ２とは同じ長さである。
【００４９】
セパレータ２５は、領域ＳＨ１を、上述した領域ＮＳおよび領域ＮＦに対向させた状態で、正極板２４および負極板２６と巻回される。また、セパレータ２５は、領域ＳＨ２を、上述した領域ＴＳおよび領域ＴＦに対向させた状態で、正極板２４および負極板２６と巻回される。したがって、正極金属板２４Ａと負極金属板２６Ａとセパレータ２５とでは、上述した長さＤ１と長さＦ１と長さＥ１、長さＤ２と長さＦ２と長さＥ２、長さＰ１と長さＲ１と長さＱ１、および長さＰ２と長さＲ２と長さＱ２とは、それぞれ長さが等しい。
【００５０】
（本実施形態の効果）
本実施形態によれば、正極金属板２４Ａには、正極活物質２４Ｂが塗布されていない領域ＮＳと、正極活物質２４Ｂが塗布されており、かつ領域ＮＳより上下方向の長さが短い領域ＴＳと、が存在する。そして、正極金属板２４Ａに正極活物質２４Ｂが塗布されている領域ＴＳが正極板２４となる。
【００５１】
また、負極金属板２６Ａには、負極活物質２６Ｂが塗布されていない領域ＮＦと、負極活物質２６Ｂが塗布されており、かつ領域ＮＦより上下方向の長さが短い領域ＴＦと、が存在する。そして、負極金属板２６Ａに負極活物質２６Ｂが塗布されている領域ＴＦが負極板２６となる。
【００５２】
電極体２３は、正極金属板２４Ａの内、正極活物質２４Ｂが塗布されている領域ＴＳと、負極金属板２６Ａの内、負極活物質２６Ｂが塗布されている領域ＴＦとを対向させて巻回される。このため、領域ＴＳや領域ＴＦがない構成に比べて、電極の使用量を抑制したり、電極体を形成するための材料の量を抑制したりすることができる。
【００５３】
また、正極金属板２４Ａには、領域ＴＳより上下方向の長さが長い領域ＮＳがあり、負極金属板２６Ａには、領域ＴＦより上下方向の長さが長い領域ＮＦがある。そして、領域ＮＳと領域ＮＦとは、対向して巻回される構成である。このため、正極金属板２４Ａや負極金属板２６Ａの前後左右方向の全体に亘って、上下方向における長さを短くする構成に比べて、電池ケース１１内における電極体２３のガタつきを抑えることができる。
【００５４】
さらに、正極金属板２４Ａは、領域ＮＳと領域ＴＳとを有し、負極金属板２６Ａは、領域ＮＦと領域ＴＦとを有する。そして、電極体２３は、領域ＮＳと領域ＮＦとを対向させて巻回し、領域ＴＳと領域ＴＦとを対向させて巻回させる。つまり、同じ１枚の金属板で、上述した中央部分ＣＴおよび周囲部分ＡＲが形成される。これにより、中央部分ＣＴと周囲部分ＡＲとが別体である構成に比べて、中央部分ＣＴと周囲部分ＡＲとが相対的にガタつくことを抑制することができる。
【００５５】
＜他の実施形態＞
本明細書で開示される技術は上記記述及び図面によって説明した実施形態に限定されるものではなく、例えば次のような種々の態様も含まれる。
【００５６】
上記実施形態では、電極体２３は、正極板２４、負極板２６及びセパレータ２５が中心軸Ｗを中心に、反時計回りに巻回された円筒形状とされた例を挙げた。しかしこれに限らず、電極体２３は、例えば、共に平板状の正極板２４、負極板２６及びセパレータ２５が重なることで全体として角形とされるものでもよい。
【００５７】
電極体２３は、図６に示すように、セパレータ２５が領域ＳＨ２を有さない構成であってもよい。さらに、負極金属板２６Ａの領域ＴＦは、正極金属板２４Ａの領域ＴＳよりも、上下方向の上下いずれにも広い構成でもよい。また、正極金属板２４Ａの領域ＴＳは、負極金属板２６Ａの領域ＴＦよりも、上下方向の上下いずれにも広い構成でもよい。
【００５８】
また、図６に示すように、電極体２３では、正極金属板２４Ａの領域ＴＳのみに塗布されていた正極活物質２４Ｂが、領域ＮＳにも塗布される構成でもよい。具体的には、領域ＮＳの上下方向の上端から長さＰ１までの領域と、領域ＮＳの上下方向の下端から長さＰ２までの領域とには正極活物質２４Ｂは塗布されず、領域ＮＳの上下方向で領域ＴＳと同じ長さＺ分だけ、領域ＮＳに正極活物質２４Ｂが塗布される構成でもよい。
【００５９】
また、電極体２３では、負極金属板２６Ａの領域ＴＦのみに塗布されていた負極活物質２６Ｂが、領域ＮＦにも塗布される構成でもよい。具体的には、領域ＮＦの上下方向の上端から長さＰ１までの領域と、領域ＮＦの上下方向の下端から長さＰ２までの領域とには負極活物質２６Ｂは塗布されず、領域ＮＦの上下方向で領域ＴＦと同じ長さＺ分だけ、領域ＮＦに負極活物質２６Ｂが塗布される構成でもよい。
【００６０】
上記実施形態では、筒状部１３は、円筒形状である例を挙げた。しかしこれに限らず、筒状部１３は、角形であってもよい。
【００６１】
上記実施形態では、正極金属板２４Ａの上下方向の上端からの長さＰ１と、正極金属板２４Ａの上下方向の下端から長さＰ２とは、上下方向の長さが同じである構成を例に挙げた。しかしこれに限らず、長さＰ１と長さＰ２とは、上下方向の長さが異なっていてもよい。なお、セパレータ２５の上下方向の上端からの長さＱ１とセパレータ２５の上下方向の下端からの長さＱ２、負極金属板２６Ａの上下方向の上端からの長さＲ１と負極金属板２６Ａの上下方向の下端からの長さＲ２についても、上下方向の長さが異なっていてもよい。
【００６２】
上記実施形態では、領域ＮＳが存在する正極金属板２４Ａの左右方向の長さＤ２は、領域ＴＳが存在する正極金属板２４Ａの左右方向の長さＤ１に比べて、左右方向の長さが長い構成を例に挙げた。しかしこれに限らず、長さＤ１と長さＤ２とは、左右方向の長さが同じであってもよい。なお、領域ＳＨ１が存在するセパレータ２５の左右方向の長さＥ１と、領域ＳＨ２が存在するセパレータ２５の左右方向の長さＥ２、および、領域ＮＦが存在する負極金属板２６Ａの左右方向の長さＦ１と、領域ＴＳが存在する負極金属板２６Ａの左右方向の長さＦ２についても、左右方向の長さが同じであってもよい。
【００６３】
上記実施形態では、電極体２３の内、前後左右方向において中心軸Ｗ寄りの位置で巻回されている中央部分ＣＴは、中央部分ＣＴの周囲に巻回された周囲部分ＡＲに比べて、電極体２３の上下方向における長さが長い例を挙げた。しかしこれに限らず、中央部分ＣＴは、周囲部分ＡＲに比べて、電極体２３の上下方向における長さが短い構成であってもよい。ただし、周囲部分ＡＲは中央部分ＣＴに比べ、電極体２３を巻回する場合の径、即ち、電極体２３の前後左右方向における中心軸Ｗからの長さが長くなるため、中心軸Ｗを中心とする周方向の長さが長くなる。このため、上記実施形態の構成に比べて、正極金属板２４Ａや、負極金属板２６Ａの使用量が増える。したがって、上記実施形態の構成の方がより効果的である。
【００６４】
上記実施形態では、中央部分ＣＴは、正極板２４、セパレータ２５、負極板２６から構成されている例を挙げた。しかしこれに限らず、中央部分ＣＴは、セパレータ２５のみから構成されていてもよい。これによって、金属板および活物質の材料の量がさらに少なくなるため、上記実施形態の構成に比べ、電極の使用量をさらに減らすことができる。この場合、中央部分ＣＴのセパレータ２５は、周囲部分ＡＲのセパレータ２５と熱溶着させて一体とする。
【００６５】
上記実施形態では、領域ＴＳ、領域ＴＦ、および領域ＳＨ２の上下方向における長さは、左右方向に亘って同じ長さＺである構成を例に挙げた。しかしこれに限らず、領域ＴＳ、領域ＴＦ、および領域ＳＨ２の上下方向における長さは、左右方向に亘って異なる長さでもよい。また、一部が同じ長さであってもよい。
【符号の説明】
【００６６】
１０：電池  １１：電池ケース  １２：電池ケース本体  １２Ａ：開口部  １３：筒状部  ２３：電極体  ２４：正極板  ２５：セパレータ  ２６：負極板  Ｓ：収容空間
【図１】
2015008094.tif 000003
【図２】
2015008094.tif 000004
【図３】
2015008094.tif 000005
【図４】
2015008094.tif 000006
【図５】
2015008094.tif 000007
【図６】
2015008094.tif 000008